(57)【要約】【課題】  本発明は、未経験者でも簡単に設定でき、素早く知ることができるシステムコンポネントの需給予測システム、需給予測サーバ、同サーバの需給予測管理方法、及び需給予測管理プログラムを提供することを目的とする。【解決手段】  システムの機能をシステム名称登録ファイル１１、及びシステム名称登録ファイルの「システム名称」されたシステムの機能に相当する機能を具備するためのコンポネントの構成と、前記コンポネント毎の必要度点数及びその単価を予め登録した機能キーワード登録ファイル１２によって、予め「システム名称」を定義して、登録し、端末３からの受注情報によって前記システムのコンポネントの需給予測を管理する需給予測サーバ１の需給予測管理システムであって、端末からの受注情報の応答として、前記コンポネント数量、総需要予測数量、及び前記生産計画数量を通知することを特徴とする。【選択図】  図１
2005326928.tif 000002
【特許請求の範囲】
【請求項１】
システムを構成するコンポネントの需給予測システムであって、
前記コンポネントの需給予測を行う需給予測サーバと、
前記需給予測サーバとネットワークで接続された端末とを
備え、
前記端末は、前記受注情報として、少なくとも予め登録された前記システム名称登録ファイルを参照して「システム名称」とその「受注金額」とを送信する通信手段を備え、
前記需給予測サーバは、前記「システム名称」を登録したシステム名称登録ファイルと、前記「システ名称」の機能を定義する前記コンポネントの構成と、前記コンポネント毎の必要度点数及びその単価を登録した機能キーワード登録ファイルとからなる前記「システム名称」を予め定義するコンポネントの情報登録手段と、
前記受注情報を受信し、その受注情報が予め登録された前記「システム名称」であることをシステム名称ファイルと照合して確認し、前記受注情報を受注情報ファイルに記憶する受信処理手段と、
前記受注情報ファイルの前記「システム名称」から、前記システム名称登録ファイル、及び前記機能キーワードファイルを参照し、該当する前記コンポネント毎の必要度点数と「受注金額」とから前記システムのコンポネントを選択するコンポネント選択処理手段と、
前記コンポネント選択処理手段で選択された前記コンポネントに基づき、コンポネントの需給予測数量、生産計画数量を求めるコンポネント生産計画処理手段と、
前記コンポネント選択処理手段で求めた選択された前記コンポネント数量、前記コンポネント生産計画処理手段で求めた前記コンポネント毎の需要予測数量、及び生産計画数量を前記端末に通知する出力処理手段とを
備えたことを特徴とする需要予測システム。
【請求項２】
前記コンポネント選択処理手段は、前記機能キーワード登録ファイルに登録される前記コンポネント毎の必要度を、「標準」、「オプション」、「インデント」に識別して点数でランク付けし、
前記「システム名称」で構成される前記コンポネント毎の総必要度点数を算出し、前記総必要度点数の大きい方から総金額を算出し、前記「受注金額」と比較し、入力された「受注金額」に相当するコンポネント数量に基づいて前記コンポネントを選択するようにしたことを特徴とする請求項１に記載の需要予測システム。
【請求項３】
前記システムコンポネント生産計画処理手段は、所定期間内の選択された前記コンポネントの総数量の変化率から総需要数量を予測し、
予め設定される在庫目標数量と需要予測数量の予測値から生産計画を求めるようにしたことを特徴とする請求項１に記載の需要予測システム。
【請求項４】
システムを構成するコンポネントの情報を予めファイルとして登録し、端末から受注情報によって受注したシステムを構成するコンポネントの需給予測を管理する需給予測サーバであって、
前記「システム名称」を登録したシステム名称登録ファイルと、前記「システ名称」の機能を定義する前記コンポネントの構成と、前記コンポネント毎の必要度点数及びその単価を登録した機能キーワード登録ファイルとからなる前記「システム名称」を予め定義するコンポネント情報登録手段と、
前記受注情報を受信し、その受注情報が予め登録された前記「システム名称」であることをシステム名称ファイルと照合して確認し、前記受注情報を受注情報ファイルに記憶する受信処理手段と、
前記受注情報ファイルの前記「システム名称」から、前記システム名称登録ファイル、及び前記機能キーワードファイルを参照し、該当する前記コンポネント毎の必要度点数と「受注金額」とから前記システムのコンポネントを選択するコンポネント選択処理手段と、
前記コンポネント選択処理手段で選択された前記コンポネントに基づき、コンポネントの需要予測数量、生産計画数量を求めるコンポネント生産計画処理手段と、
少なくとも前記コンポネント選択処理手段で求めた選択された前記コンポネントの数量、前記コンポネント生産計画処理手段で求めた前記コンポネント毎の需要予測数量、及び生産計画数量を前記端末に通知する出力処理手段とを
備えたことを特徴とする需要予測サーバ。
【請求項５】
前記コンポネント選択処理手段は、前記機能キーワード登録ファイルに登録される前記コンポネント毎の必要度を、「標準」、「オプション」、「インデント」に識別して点数でランク付けし、
前記「システム名称」で構成される前記コンポネント毎の総必要度点数を算出し、前記総必要度点数の大きい方から総金額を算出し、前記「受注金額」と比較し、入力された「受注金額」に相当するコンポネント数量に基づいて前記コンポネントを選択するようにしたことを特徴とする請求項４に記載の需要予測サーバ。
【請求項６】
前記システムコンポネント生産計画処理手段は、所定期間内の選択された前記コンポネントの総数量の変化率から総需要数量を予測し、
予め設定される在庫目標数量と需要予測数量の予測値から生産計画を求めるようにしたことを特徴とする請求項４に記載の需要予測サーバ。
【請求項７】
「システム名称」を登録したシステム名称登録ファイルと、前記「システ名称」の機能を定義する前記コンポネントの構成と、前記コンポネント毎の必要度点数及びその単価を登録した機能キーワード登録ファイルとから前記「システム名称」を定義してコンポネント情報として予め需給予測サーバに登録しておき、前記需給予測サーバの端末から送信された、受注したシステムの受注情報に含まれる前記「システム名称」、「受注金額」によって前記システムのコンポネントの需給予測を管理する需給予測サーバの需給予測管理方法であって、
前記端末から前記受注情報として少なくともシステム名称登録ファイルに登録された「システム名称」、及びその「受注金額」を送信し、
前記需給予測サーバは、送信された前記「システム名称」及び前記「受注金額」から、前記システム名称登録ファイル、及び前記機能キーワード登録ファイルを参照し、前記コンポネント毎の必要度点数と、「受注金額」とから前記コンポネント毎の生産数量を選択算出し、
選択され前記コンポネントの数量から、前記コンポネント毎の総需要予測数量と、前記コンポネント毎の生産計画数量とを算出し、
前記端末からの受注情報の応答として、少なくとも選択した前記コンポネント数量、前記コンポネント毎の総需要予測数量、及び前記生産計画数量を通知することを特徴とする需給予測サーバの需給予測管理方法。
【請求項８】
前記コンポネント毎の必要度点数は、「標準」、「オプション」、「インデント」の必要度を点数でランク付けし、
前記「システム名称」で構成される前記機能キーワードによって定義されるコンポネントの総必要度点数を算出し、
前記必要度点数の大きい方から総金額を算出し、前記「受注金額」と比較し、前記端末から入力された「受注金額」に相当する前記コンポネントを選択するようにしたことを特徴とする請求項７に記載の需給予測サーバの需給予測管理方法。
【請求項９】
前記総需要予測数量は、所定期間に前記端末か入力された受注情報に基づき選択した前記コンポネントの所定期間における総数量の変化率から前記総需要予測数量を予測し、
予め設定される在庫目標数量と前記総需要予測数量から前記生産計画数量を求めるようにしたことを特徴とする請求項７に記載の需給予測サーバの需給予測管理方法。
【請求項１０】
「システム名称」を登録したシステム名称登録ファイルと、前記「システ名称」の機能を定義する前記コンポネントの構成と、前記コンポネント毎の必要度点数及びその単価を登録した機能キーワード登録ファイルとから前記「システム名称」を定義してコンポネントの情報として予め需給予測サーバに登録しておき、前記需給予測サーバの端末から送信された、受注したシステムの受注情報に含まれる前記「システム名称」、「受注金額」によって前記システムのコンポネントの需給予測を管理する需給予測サーバの需給予測管理方法であって、前記システム名称登録ファイル、及び前記「機能キーワード」で定義されるコンポネントとその構成、前記コンポネント毎の必要度点数、及びその単価を登録した前記機能キーワード登録ファイルを予め登録する機能と、前記端末から入力された前記受注情報として少なくとも前記「システム名称」及びその「受注金額」を受信する機能と、前記入力された前記「システム名称」及び前記「受注金額」から、前記システム名登録ファイル、及び前記機能キーワードファイルを参照し、前記コンポネント毎の必要度点数と、「受注金額」とから、前記コンポネントを選択する機能と、選択した前記コンポネントの数量から、前記コンポネント毎の需給予測数量、前記コンポネント毎の総需要予測数量、及び生産計画数量を予測演算する機能と、前記端末から入力された「システム名称」及び「受注金額」の応答として、少なくとも選択した前記コンポネントの数量、前記コンポネント毎の需要予測、及びコンポネント毎の総需要予測数量、及び生産計画数量を通知する機能とを備えたことを特徴とする需給予測サーバの需給予測管理プログラム。
【発明の詳細な説明】
【技術分野】
【０００１】
本発明は、システムコンポネントの需給予測システムであって、端末からの受注情報に基づいて、システムに使用するコンポネント毎の需給予測をするための需給予測システム、需給予測サーバ、同サーバの需給予測管理方法、及び需給予測管理プログラムに関する。
【背景技術】
【０００２】
電力、上下水道、交通、鉄鋼などの社会のインフラを構成する制御システムにおける生産は、受注したシステム毎の生産設計が完了した時点など、生産するコンポネントが確定した後に生産量を決定する受注生産型の生産システムが主流である。
【０００３】
これらの制御システムの生産においては、受注システム毎に、受注金額や機能によって大まかな分類を行い、標準構成となるコンポネントを予め生産して在庫し、納期の短縮を図っていた。
【０００４】
この受注生産型の生産システムにおいての生産予測は、生産計画担当者の経験と技量に負うところが多く、過剰在庫や生産遅延の問題が発生していた。
【０００５】
そのため、受注金額または受注規模から、受注装置を構成する要素と数量を決定し、生産予定物量と予定原価を把握するための好適な装置構成要素の展開方法が知られている(例えば、特許文献１参照。)。
【０００６】
この展開方法においては、受注金額または受注規模に対して、生産展開のモデルパターンとなる装置の校正要素の基準資料を予め準備して置き、この資料データと受注装置の資料データとを照合し、受注金額または受注規模が一致する装置の構成の要素を、受注情報から自動的に生産する生産物量が求められる。
【０００７】
この装置構成要素の展開方法において、受注金額または装置規模が一致しない場合には、生産物量展開が不可能になるため、どの受注装置が展開されないのかを、エラーメッセージを発行し、最も近いデータを使用して補間法によって補正して、正確な物量展開をする方法を使用している。
【特許文献１】特開平７−２１２８４号公報
【発明の開示】
【発明が解決しようとする課題】
【０００８】
しかしながら、以上述べた従来の装置構成要素の展開方法においては、以下のような問題点がある。
【０００９】
（１）装置構成要素のモデルパターンは、出荷したシステムや製品のデータベースから作られるので、商品企画して販売するシステム製品、即ち、標準化によって生産性の向上を図ろうとする技術思想が生かしにくい生産システムとなりやすい。
【００１０】
（２）受注データは予定と確定入力とがあり、且つ、受注したシステムのコンポネントまでの詳細データを入力する必要があるため、生産、設計の経験者でないとデータの登録が難しく、入力に時間がかかる。
【００１１】
（３）受注情報に基づき、装置構成要素に展開した後の生産計画のための需給状況については、開示されていない。
【００１２】
本発明は、上記の問題点を解決するためになされたもので、未経験者でも操作が可能な簡単な入力操作で、受注情報を入力し、受注したシステムのコンポネントの数量、コンポネント需要予測数量。及びコンポネント生産計画を、素早く知ることができる需給予測システム、需給予測サーバ、同サーバの需給予測管理方法、及び需給予測管理プログラムを提供することを目的とする。
【課題を解決するための手段】
【００１３】
上記の目的を達成するために、本発明に係る請求項１の需給予測システムは、システムを構成するコンポネントの需給予測システムであって、前記コンポネントの需給予測を行う需給予測サーバと、前記需給予測サーバとネットワークで接続された端末とを備え、前記端末は、前記受注情報として、少なくとも予め登録された前記システム名称登録ファイルを参照して「システム名称」とその「受注金額」とを送信する通信手段を備え、前記需給予測サーバは、前記「システム名称」を登録したシステム名称登録ファイルと、前記「システ名称」の機能を定義する前記コンポネントの構成と、前記コンポネント毎の必要度点数及びその単価を登録した機能キーワード登録ファイルとからなる前記「システム名称」を予め定義するコンポネントの情報登録手段と、前記受注情報を受信し、その受注情報が予め登録された前記「システム名称」であることをシステム名称ファイルと照合して確認し、前記受注情報を受注情報ファイルに記憶する受信処理手段と、前記受注情報ファイルの前記「システム名称」から、前記システム名称登録ファイル、及び前記機能キーワードファイルを参照し、該当する前記コンポネント毎の必要度点数と「受注金額」とから前記システムのコンポネントを選択するコンポネント選択処理手段と、前記コンポネント選択処理手段で選択された前記コンポネントに基づき、コンポネントの需給予測数量、生産計画数量を求めるコンポネント生産計画処理手段と、前記コンポネント選択処理手段で求めた選択された前記コンポネント数量、前記コンポネント生産計画処理手段で求めた前記コンポネント毎の需要予測数量、及び生産計画数量を前記端末に通知する出力処理手段とを備えたことを特徴とする。
【００１４】
上記の目的を達成するために、本発明に係る請求項４の需給予測サーバは、システムを構成するコンポネントの情報を予めファイルとして登録し、端末から受注情報によって受注したシステムを構成するコンポネントの需給予測を管理する需給予測サーバであって、前記「システム名称」を登録したシステム名称登録ファイルと、前記「システ名称」の機能を定義する前記コンポネントの構成と、前記コンポネント毎の必要度点数及びその単価を登録した機能キーワード登録ファイルとからなる前記「システム名称」を予め定義するコンポネント情報登録手段と、前記受注情報を受信し、その受注情報が予め登録された前記「システム名称」であることをシステム名称ファイルと照合して確認し、前記受注情報を受注情報ファイルに記憶する受信処理手段と、前記受注情報ファイルの前記「システム名称」から、前記システム名称登録ファイル、及び前記機能キーワードファイルを参照し、該当する前記コンポネント毎の必要度点数と「受注金額」とから前記システムのコンポネントを選択するコンポネント選択処理手段と、前記コンポネント選択処理手段で選択された前記コンポネントに基づき、コンポネントの需要予測数量、生産計画数量を求めるコンポネント生産計画処理手段と、少なくとも前記コンポネント選択処理手段で求めた選択された前記コンポネントの数量、前記コンポネント生産計画処理手段で求めた前記コンポネント毎の需要予測数量、及び生産計画数量を前記端末に通知する出力処理手段とを備えたことを特徴とする。
【００１５】
上記の目的を達成するために、本発明に係る請求項７の需給予測サーバの管理方法は、「システム名称」を登録したシステム名称登録ファイルと、前記「システ名称」の機能を定義する前記コンポネントの構成と、前記コンポネント毎の必要度点数及びその単価を登録した機能キーワード登録ファイルとから前記「システム名称」を定義してコンポネント情報として予め需給予測サーバに登録しておき、前記需給予測サーバの端末から送信された、受注したシステムの受注情報に含まれる前記「システム名称」、「受注金額」によって前記システムのコンポネントの需給予測を管理する需給予測サーバの需給予測管理方法であって、前記端末から前記受注情報として少なくともシステム名称登録ファイルに登録された「システム名称」、及びその「受注金額」を送信し、前記需給予測サーバは、送信された前記「システム名称」及び前記「受注金額」から、前記システム名称登録ファイル、及び前記機能キーワード登録ファイルを参照し、前記コンポネント毎の必要度点数と、「受注金額」とから前記コンポネント毎の生産数量を選択算出し、選択され前記コンポネントの数量から、前記コンポネント毎の総需要予測数量と、前記コンポネント毎の生産計画数量とを算出し、前記端末からの受注情報の応答として、少なくとも選択した前記コンポネント数量、前記コンポネント毎の総需要予測数量、及び前記生産計画数量を通知することを特徴とする。
【００１６】
上記の目的を達成するために、本発明に係る請求項１０の需給予測サーバの需給予測管理プログラムは、「システム名称」を登録したシステム名称登録ファイルと、前記「システ名称」の機能を定義する前記コンポネントの構成と、前記コンポネント毎の必要度点数及びその単価を登録した機能キーワード登録ファイルとから前記「システム名称」を定義してコンポネントの情報として予め需給予測サーバに登録しておき、前記需給予測サーバの端末から送信された、受注したシステムの受注情報に含まれる前記「システム名称」、「受注金額」によって前記システムのコンポネントの需給予測を管理する需給予測サーバの需給予測管理方法であって、前記システム名称登録ファイル、及び前記「機能キーワード」で定義されるコンポネントとその構成、前記コンポネント毎の必要度点数、及びその単価を登録した前記機能キーワード登録ファイルを予め登録する機能と、前記端末から入力された前記受注情報として少なくとも前記「システム名称」及びその「受注金額」を受信する機能と、前記入力された前記「システム名称」及び前記「受注金額」から、前記システム名登録ファイル、及び前記機能キーワードファイルを参照し、前記コンポネント毎の必要度点数と、「受注金額」とから、前記コンポネントを選択する機能と、選択した前記コンポネントの数量から、前記コンポネント毎の需給予測数量、前記コンポネント毎の総需要予測数量、及び生産計画数量を予測演算する機能と、前記端末から入力された「システム名称」及び「受注金額」の応答として、少なくとも選択した前記コンポネントの数量、前記コンポネント毎の需要予測、及びコンポネント毎の総需要予測数量、及び生産計画数量を通知する機能とを備えたことを特徴とする需給予測サーバの需給予測管理プログラム。
【発明の効果】
【００１７】
本発明によれば、端末から少なくとも受注情報として、予め登録された「システム名称」と、「受注金額」とをサーバに送信すれば、その受注情報に基づき予め登録されたシステム機能ファイル、機能コンポネントファイル、のコンポネント情報を使用して、送信されたシステムに使用されるコンポネントを選択展開し、選択されたシステムコンポネントの数量、登録されたコンポネントの総需要予測数量、及びコンポネント生産計画数量を求め、この結果を端末に送信するように構成したので、受注情報が初心者でも簡単に入力ができ、受注情報に基づくシステムのコンネント数量、総需要予測数量、及び生産計画数量を簡単に知ることができる需給予測システム、需給予測サーバ、同サーバの需給予測管理方法、及び需給予測管理プログラムを素早く提供することができる。
【００１８】
また、商品企画とその標準化設計思想に基づくシステムのコンポネントを予め選択して登録することが可能で、受注するシステム、使用するコンポネントが自動的に標準品に集中しやすい生産システムが構築されるので、適切な在庫量と納期短縮がし易くなる。
【発明を実施するための最良の形態】
【００１９】
以下、本発明の実施例について図１乃至図６を参照して説明する。図１は、本発明の需給予測システムを適用した、システムを構成するコンポネントの、需給予測システムの実施例を示す構成図である。
【００２０】
図１において、まず、需給予測システムの構成を説明する。本発明の需給予測システムを制御するウェブサーバである需給予測サーバ１は、ネットワーク２を介して複数の端末３に接続されている。
【００２１】
需給予測サーバ１は、システムを構成するコンポネント情報のデータファイルを格納する記憶装置１ａを備え、端末３の夫々は、例えば、コンポネントを生産する生産現場やシステムを販売する営業所等に置かれ、固定もしくは移動可能なパソコン等で構成が可能で、後述する受注情報を送信するためのウェブブラウザなどの需給予測サーバ１のクライアントソフトウェアが予め格納される。
【００２２】
次に、記憶装置１ａに格納される、データファイルのファイル構成について同じく、図１を参照して説明する。データファイルには、各種のシステムを定義するためのコンポネントの情報を予め登録しておくシステム名称登録ファイル１１及び機能キーワード登録ファイル１２と、端末からの受注情報をファイルする受注情報ファイル１１ａと、受注情報から求める受注したシステムのコンポネントを選択、処理してファイルする選択コンポネントファイル１３及びコンポネント生産計画ファイル１４とがある。
【００２３】
次に、これらの各ファイルについて説明する。図示しない受注情報ファイル１１ａは、端末３から送信される受注情報を格納するもので、後述する予め登録されたシステム名称登録ファイルを参照して「システム名称」を選択し、受注したシステムの顧客名称、「システム名称」、「受注金額」、要求納期等を受注情報として対応付けて記憶されたものである。
【００２４】
図２は、予め登録されるシステム名称登録ファイル１１で、例えば、商品企画に基づき定義された各種の制御システムについて、そのシステムが備える各種の機能を機能キーワードの構成で定義し、表形式のファイルとしたものである。
【００２５】
システムが備える各種の機能とは、例えば、対象とする制御システムの制御を行うための、入力処理機能、出力処理機能、制御処理機能、各処理機能を接続する信号の伝送機能などで、該当するシステムの夫々の機能を予め定義された機能名称を機能キーワードとしたものである。
【００２６】
図２図において、横軸欄は、対象とするシステム名称の記述欄で、縦軸欄は、各種の機能を機能キーワードとして記述欄で、そのシステム名称が備える機能については、機能キーワード欄に○印を付して示したものである。
【００２７】
例えば、システム名称が鉄鋼圧延制御システムの場合、その入出力機構としての機能として、ループ１、パルス入出力、及び電流入出力の機能キーワードの構成で定義されたもので、これらの機能キーワード欄に○印を記述して示している。
【００２８】
同様に、システム名称が電力監視制御システムの場合、その入出力機能は、ループ２、光ケーブル２、及び制御機能は監視制御１の機能キーワードの構成で定義されたことを示している。
【００２９】
次に、図３を参照して、機能キーワード登録ファイル１２について説明する。機能キーワード登録ファイル１２は、機能キーワードで定義された機能を備えるためのコンポネントの構成を表形式のファイルで展開し、表形式のファイルとして示したものである。
【００３０】
同図において、縦軸欄は、各種の制御システムの機能キーワードの記述欄で、横軸欄は、夫々の機能キーワードが備える構成コンポネントを、標準、オプション、インデントの必要度で識別し、夫々に必要度点数を付し、さらに、夫々の単価も付して記述したものである。
【００３１】
例えば、機能キーワードがループ１の場合、その必要度点数３の標準のコンポネントは、形式がＬＰ０１、その単価は３０、必要度点数２のオプションのコンポネントは、形式がＬＣ５１１，その単価は１０、必要度点数１のコンポネントは、形式がＴＢ５２１，その単価波５、及び形式ＵＴ５Ｌ１２，その単価が５として示されるコンポネント群から構成されることを示す。
【００３２】
同様にして、機能キーワード、ループ２、パルス入出力等についても、その機能を具備するためのコンポネント群が表形式で記述される。
【００３３】
このように、システム名称登録ファイル１１において、機能キーワードでそのシステムの機能を定義しておき、その機能キーワードで定義された機能を具備するためのコンポネントの構成を機能キーワード登録ファイル１２で定義して、各種の制御システムについて予め登録しておく。
【００３４】
即ち、受注するシステムは、「システム名称」で予め定義され、そのコンポネントは、システム名称登録ファイル１１と、機能キーワード登録ファイル１２とから一義的に構成するコンポネントが決定される。
【００３５】
このように構成されるファイルは、システムの規模、機能によって各種のファイルが存在するが、上述したような表形式のデータファイル構成で管理することによって、システム、機能、コンポネントの標準化が商品企画段階から明確に定義されるメリットがある。
【００３６】
次に、システム名称登録ファイル１１及び機能キーワード登録ファイル１２の登録と更新について説明する。これらのファイルは、商品企画に基づく商品化が決定されると、そのシステム商品について、システム名称とその機能、構成するコンポネントが予め決定される。
【００３７】
そして、販売を開始する前に、需給予測サーバ１から端末３に通知され、運用が開始される。
【００３８】
したがって、その登録は通常、そのシステム名称の商品販売の開始前に、予め需給予測サーバ１に登録される。そして、そのシステム名称の商品の変更、改良があると、その機能、構成コンポネントを再度定義して、更新がされる。
【００３９】
また、これらのファイルへのアクセスは、受注情報として、システム名称登録ファイル１１に登録されたシステム名称と、その受注金額を送信する場合に、端末３のブラウザー画面等からアクセスされる。
【００４０】
また、システム名称登録ファイル１１及び機能キーワード登録ファイル１２は、需給予測サーバ１が、受注情報として端末３のブラウザー画面等から受注情報を受信した場合に、その受注情報に基づく、「システム名称」のコンポネントを選択する、詳細を後述するコンポネント選択処理を実行するタイミングにおいてもアクセスされる。
【００４１】
次に、図４、及び図５を参照して、選択コンポネントファイル１３とコンポネント生産計画ファイル１４について説明する。
【００４２】
図４は、端末３の受注情報から、需給予測サーバ１によって、受注した「システム名称」、「受注金額」からコンポネントを選択、処理し、生産されるコンポネントを選択コンポネントファイル１３として表形式ファイルで示したものである。
【００４３】
また、図５は、この選択コンポネントファイル１３に記述されたコンポネントの数量から需要予測を求め、コンポネントの生産計画をコンポネント生産計画ファイル１４として表形式ファイルで示したものである。
【００４４】
図４は、端末３から鉄鋼圧延制御システム、その受注金額１００が受注情報として送信され、需給予測サーバ１によってコンポネント選択処理し、記憶装置１ａに格納された選択コンポネントファイル１３の例を示す。
【００４５】
鉄鋼圧延制御システムの受注情報からは、システム名称登録ファイル１１を参照して機能キーワード、ループ１、パルス入出力、及び電流入出力が抽出され、さらに、抽出された機能キーワードから、機能キーワード登録ファイル１２を参照して、構成するコンポネントを抽出し、コンポネント毎の必要度点数の合計が大きい順に表形式に記述される。
【００４６】
詳細には、この鉄鋼圧延制御システムにおいては、図３から抽出される機能キーワードに含まれる全てのコンポネントのデータが抽出、集計される。その結果、抽出されたコンポネントの形式(必要度点数の合計)は、ＬＰ０１（６）、ＬＣ４１１（４）、ＴＢ５２１（４）、ＵＴ５Ｌ１２（２）、ＬＰ０２（１）が順次、合計点数の高い順で抽出される。
【００４７】
そして、受注金額から黒太線で囲まれたコンポネント群が選択されたコンポネント群であることを示す。
【００４８】
例えば、ＬＰ０１の必要度点数の合計は６最も高く、その単価は３０、数量は２であることからその合計が６０となる。そして、必要度点数の高い順に並べた累計の合計金額が受注金額１００を超えない、コンポネントの形式ＴＢ５２１ところまでのコンポネント群が、選択され、識別表示されたことを示す。
【００４９】
次に、図５を参照して、コンポネント生産計画ファイル１４について説明する。コンポネント生産計画ファイル１４は、今回受注情報から選択された選択コンポネントファイル１３のデータから今月の需要予測と来月の生産計画を算出して記述し、システム名称登録ファイル１１及び機能キーワード登録ファイル１２に登録された全コンポネントについて、翌月の生産計画を表形式で示した例をしめす。
【００５０】
図５において、縦軸欄はコンポネントの形式、横軸欄は、今月の生産計画、今月の需要予測、及び来月の生産計画の記述欄で、夫々のコンポネントの数量を表形式で対応付けて記述したものである。
【００５１】
先ず、今月の生産計画の横軸欄には、在庫目標、先月在庫、今月出荷、及び今月生産が記述される。在庫目標欄は、予めコンポネント毎に設定されるもので、その生産規模等から適切な在庫量を予め定めておく。
【００５２】
今月生産の数量は、先月在庫の数量をＡ２、在庫目標の数量をＡ１とすると、今月生産の数量Ａは、Ａ＝Ａ３−Ａ２＋Ａ１として求め、夫々の数量が記述される。
【００５３】
次に、今月の需要予測欄は、選択された今回受注、累計受注、需要予測欄から構成され、今回受注欄の数量Ｂ１、累計受注の数量ΣＢｉ、需要予測の数量Σとすると、需要予測の数量Σは、累計受注の数量ΣＢｉの累計期間の変化率から、予測期間で正規化した数量を需要予測の数量Σを求め、記述する。
【００５４】
次に、来月の生産計画の欄は、その数量をＤとすると、翌月の生産数量Ｄは、Ｄ＝Σ−Ｃとして求められ、その数量が記述される。
【００５５】
即ち、受注情報に基づく選択されたコンポネント数量を今回受注の数量Ｂ１とし、需要動向の変化率から次の需要予測の数量Σを求め、先月の在庫数量Ｃと需要予測の数量Σとから来月の生産計画数量Ｄを求めて、表形式で記述しファイルしたものである。
【００５６】
以上の述べたような需給予測システムの構成とそのデータファイルの構成とから需給予測サーバ１を使用したシステムの動作について、図６を参照して説明する。尚、各ファイルの数値演算データの説明は、夫々のファイルの説明または演算式で述べたので、夫々のファイルのデータの詳細説明は省略する。
【００５７】
図６において、端末３からは受注情報として少なくとも予め登録された「システム名称」と、その「受注金額」とが需給予測サーバ１にネットワーク２を介して送信される（ｓ１）。
【００５８】
「システム名称」は、需給予測サーバ１のシステム名称登録ファイル１１を参照して、該当する「システム名称」を選択して送信されるように、端末３には、予めメニュー形式で必要な受注情報を送信する需給予測サーバ１の情報ブラウザソフトを内蔵しておくと良い。
【００５９】
需給予測サーバ１は、端末３のから送信された受注情報、例えば、顧客名称、受注したシステムの「システム名称」、「受注金額」、納期等を図示しない受注情報ファイル１１ａに対応付けて格納しておく（ｓ２）。
【００６０】
そして、その受注情報ファイル１１ａの「システム名称」から、対応するシステム名称登録ファイル１１から機能キーワードを判定し、さらに、機能キーワード登録ファイル１２を参照して判定された機能キーワードに該当するコンポネントを選択し、選択されたコンポネントを選択コンポネントファイル１３に格納する（ｓ３）。
【００６１】
そして、この選択コンポネントファイル１３のデータから、総需要数量を予測し、次の生産計画数量を求め、コンポネント生産計画ファイル１４に格納する（ｓ４）。
【００６２】
次に、端末３から、受注情報に基づく選択されたコンポネントの数量と、コンポネントの生産計画数量の出力処理の要求（ｓ５）があれば、要求端末３への応答を返信する（ｓ６）。
【００６３】
本発明は、上述した実施例になんら限定されるものではなく、対象とするシステムとその機能によって、システム、構成するコンポネントのキーワードをさらに多層構成で定義することも可能で、また、需要予測数量、生産計画数量も、予測する演算式を補正する補正係数を設けるなど、種々変えることも可能である。
【図面の簡単な説明】
【００６４】
【図１】本発明の実施例による需給予測システムの構成図。
【図２】本発明の実施例によるシステム名称登録ファイルの例。
【図３】本発明の実施例による機能キーワード登録ファイルの例。
【図４】本発明の実施例による選択コンポネントファイルの例。
【図５】本発明の実施例によるコンポネント生産計画ファイルの例。
【図６】本発明の実施例による需給予測サーバによる動作を説明するフローチャート図。
【符号の説明】
【００６５】
１  需給予測サーバ
１ａ  記憶装置
２  ネットワーク
３  端末
１１ａ  受注情報ファイル
１１  システム名称登録ファイル
１２  機能キーワード登録ファイル
１３  選択コンポネントファイル
１４  コンポネント生産計画ファイル
【図１】
2005326928.tif 000003
【図２】
2005326928.tif 000004
【図３】
2005326928.tif 000005
【図４】
2005326928.tif 000006
【図５】
2005326928.tif 000007
【図６】
2005326928.tif 000008